(57)【要約】【課題】画像変換装置において、色度点に影響を与えることなくホワイトバランス調整をし、目的の色に近づけるのを容易にする。【解決手段】画像変換装置は、画像信号にホワイトバランス調整処理及び色域変換処理を行って表示部に表示させる画像変換装置であって、画像信号をＲＧＢ画像信号として出力するＲＧＢ変換部と、ＲＧＢ画像信号からガンマカーブを取り除いた第１画像信号を出力する逆ガンマ変換部と、第１画像信号にホワイトバランス調整処理及び色域変換処理を行い第２画像信号として出力するホワイトバランス及び色域変換部と、第２画像信号にガンマカーブをかけ第３画像信号として出力するガンマ変換部と、第３画像信号からガンマカーブを取り除いた信号を表示部へ出力する逆ガンマ変換部と、を備え、ホワイトバランス及び色域変換部は、ホワイトバランス調整処理及び色域変換処理を並列に実行する。【選択図】図１
2013145931.tif 000002
【特許請求の範囲】
【請求項１】
入力された画像信号にホワイトバランス調整処理及び色域変換処理を行って表示部に表示させる画像変換装置であって、
前記入力された画像信号をＲＧＢ変換し、ＲＧＢ画像信号として出力するＲＧＢ変換部と、
前記ＲＧＢ画像信号からガンマカーブを取り除いた第１の画像信号を出力する逆ガンマ変換部と、
前記第１の画像信号に前記ホワイトバランス調整処理及び前記色域変換処理を行い、第２の画像信号として出力するホワイトバランス及び色域変換部と、
前記第２の画像信号にガンマカーブをかけ、第３の画像信号として出力するガンマ変換部と、
前記第３の画像信号からガンマカーブを取り除いた信号を前記表示部へ出力する逆ガンマ変換部と、を備え、
前記ホワイトバランス及び色域変換部は、前記ホワイトバランス調整処理及び前記色域変換処理を並列に実行する、ことを特徴とする画像変換装置。
【請求項２】
前記ホワイトバランス及び色域変換部は、基本変換行列の逆行列を用いてホワイトバランス係数を算出し、算出した前記ホワイトバランス係数及び前記基本変換行列を用いて色変換行列を算出し、算出した前記色変換行列を用いて前記第１の画像信号から第２の画像信号を算出する、ことを特徴とする請求項１に記載の画像変換装置。
【請求項３】
前記ガンマカーブを選択するガンマカーブ選択部と、
選択された前記ガンマカーブの微調整を行うガンマ微調整部と、を具備することを特徴とする請求項１に記載の画像変換装置。
【発明の詳細な説明】
【技術分野】
【０００１】
本発明は画像変換装置に関し、更に詳しくは、画像データのホワイトバランスの調整、色度の範囲を示す色域の変換を行うことが可能な画像変換装置に関するものである。
【背景技術】
【０００２】
画像変換装置において、映像信号の色を再現する際に重要となってくるのはホワイトバランス、色域である。従来の画像変換装置では、ホワイトバランス調整はＧｒｅｅｎ（Ｇ）アンプゲインを固定とし、Ｒｅｄ（Ｒ）アンプゲイン、Ｂｌｕｅ（Ｂ）アンプゲイン、黒レベルを変化させることで実現している。また、Ｇアンプゲインを固定とし、Ｒアンプゲイン、Ｂアンプゲインを変化させているだけのものもある（例えば、特許文献１参照）。
【０００３】
図４は、従来の画像変換装置におけるホワイトバランス調整処理及び色域変換処理の概念を示すフローチャートである。図４において、ホワイトバランス調整処理では、Ｇアンプゲインを固定とした後で（ステップＳ４０１）、ＲアンプゲインとＢアンプゲインの信号レベルの調整及び黒レベルの信号レベルの調整を行っている（ステップＳ４０２）。そして、その後で色域変換処理（色域の調整）を行っている（ステップＳ４０３）。
【０００４】
ここで、ホワイトバランス調整を式で表すと、
【０００５】
【数１】
2013145931.tif 000003
【０００６】
となる。α、β、γはホワイトバランス係数である。
【０００７】
色域変換は、次式、
【０００８】
【数２】
2013145931.tif 000004
【０００９】
【数３】
2013145931.tif 000005
【００１０】
により表される。ここで、ｐｍｎからなる行列式を基本変換行列Ｐとする。この基本変換行列Ｐを変化させることにより狙いの色度点が出力され色域変換がなされている。そして、上式のｒｉｎ、ｇｉｎ、ｂｉｎの中には前段で処理されたホワイトバランス調整の値が反映されている。
【先行技術文献】
【特許文献】
【００１１】
【特許文献１】特開２００８−１６６９６４号公報
【発明の概要】
【発明が解決しようとする課題】
【００１２】
しかしながら、上記従来の画像変換装置では、色域変換処理の前段にホワイトバランス調整処理があるので、ホワイトバランスを調整すると色度点が移動してしまうという課題を有していた。
【００１３】
本発明は、上記事情に鑑みてなされたもので、ホワイトバランスを調整しても色度点がずれない画像変換装置を提供することを目的とする。
【課題を解決するための手段】
【００１４】
本発明の画像変換装置は、色域変換処理の前段にあったホワイトバランス調整処理を色域変換処理と並列に処理することを特徴とする。本構成により、ホワイトバランスを調整しても色度点がずれることは無い。
【００１５】
また、本発明の画像変換装置は、ユーザがガンマカーブの微調整を行うことが可能であることを特徴とする。本構成により、ディーラーキャリブレーションに対応できる。
【発明の効果】
【００１６】
本発明の画像変換装置によれば、ホワイトバランス及び色域を目的の値に調整することが容易で、さらにガンマカーブの微調整によって、より目的の色に近づけることができる。
【図面の簡単な説明】
【００１７】
【図１】本発明の実施の形態１に係る画像変換装置の構成を示すブロック図
【図２】本発明の実施の形態２に係る画像変換装置の構成を示すブロック図
【図３】本発明の実施の形態２に係る画像変換装置のガンマカーブ微調整の例を示す図
【図４】従来の画像変換装置におけるホワイトバランス調整処理及び色域変換処理の概念を示すフローチャート
【発明を実施するための形態】
【００１８】
以下本発明を実施するための形態について、図面を参照しながら説明する。
【００１９】
（実施の形態１）
図１は、本発明の実施の形態１に係る画像変換装置の構成を示すブロック図である。画像変換装置１００は、ＲＧＢ変換部１０１と、第１の逆ガンマ変換部１０２と、ホワイトバランス及び色域変換部１０３と、ガンマ変換部１０４と、第２の逆ガンマ変換部１０５と、表示部１０６から構成される。
【００２０】
ＲＧＢ変換部１０１は、入力時にＹＵＶで入ってきた画像信号をＲＧＢ変換して出力する。第１の逆ガンマ変換部１０２は、ＲＧＢ変換部１０１から入力されたＲＧＢ画像信号にかかっているガンマカーブを取り除きリニアな状態にして、ホワイトバランス及び色域変換部１０３へ出力する。
【００２１】
ホワイトバランス及び色域変換部１０３は、後述する計算式によりホワイトバランス調整処理と色域変換処理を並列に実行する。
【００２２】
ガンマ変換部１０５は、入力されたホワイトバランス調整処理及び色域変換処理された信号にガンマカーブをかけて出力する。第２の逆ガンマ変換部１０６は、入力された信号からガンマカーブを取り除きリニアな状態にして、表示部１０７に出力する。表示部１０７は入力された信号をディスプレイ等の画面に表示する。
【００２３】
本実施の形態では、ホワイトバランス調整処理、色域変換処理は次式、
【００２４】
【数４】
2013145931.tif 000006
【００２５】
【数５】
2013145931.tif 000007
【００２６】
により表される。α’、β’、γ’は本実施の形態でのホワイトバランス係数である。ここで、α’・ｐｍｎ、β’・ｐｍｎ、γ’・ｐｍｎからなる行列式を色変換行列Ｐ’とする。Ｒの色度点はｒｏｕｔ、ｇｏｕｔ、ｂｏｕｔのｒｉｎに対する比で決まるので、α’を変えてもＲの色度点は変わらない。同様にＧ、Ｂの色度点もβ’、γ’を変えても変わらない。
【００２７】
ここで、狙いのホワイトを出力できるホワイトバランス係数α’、β’、γ’は、以下の計算式により算出する。通常時のホワイトバランス係数をα、β、γとすると、色域変換時のホワイトバランス係数α’、β’、γ’は次式を満たさなければならない。
【００２８】
【数６】
2013145931.tif 000008
【００２９】
上記式より次式が導かれる。
【００３０】
【数７】
2013145931.tif 000009
【００３１】
上記式よりα、β、γが既知であれば基本変換行列Ｐの逆行列よりα’、β’、γ’を算出することができる。
【００３２】
（実施の形態２）
図２は、本発明の実施の形態２に係る画像変換装置の構成を示すブロック図である。画像変換装置２００は、ＲＧＢ変換部１０１と、ガンマカーブ選択部２０１と、ガンマカーブ微調整部２０２と、第１の逆ガンマ変換部１０２と、ホワイトバランス及び色域変換部１０３と、ガンマ変換部１０４と、第２の逆ガンマ変換部１０５と、表示部１０６から構成される。なお、実施の形態１と同符号を付したものは同機能を有するため説明を省略する。
【００３３】
ガンマカーブ選択部２０１は、画像変換装置２００が使用するガンマカーブを選択する。ガンマカーブ微調整部２０２は、選択されたガンマカーブの微調整を行う。なお、ガンマカーブ選択部２０１及びガンマカーブ微調整部２０２は、入力部（図示せず）によりユーザが操作可能である。
【００３４】
図３は、本発明の実施の形態２の画像変換装置２００のガンマカーブの微調整の例を示す図である。図３において、横軸は入力、縦軸は出力を表している。図３においてガンマカーブ３０１を入力レベルに対し１６分割した分割点３０２をそれぞれの点において調整可能範囲３０３でガンマカーブの微調整を可能とする。調整可能範囲３０３は、ガンマカーブが１００％のときの値１０２４に対し、±１２８移動が可能とする。ただし０以下になる場合は０を下限とし、１０２４以上となる場合は１０２４を上限とする。これにより、ディーラーキャリブレーションに対応できる。
【産業上の利用可能性】
【００３５】
本発明にかかる色調整時の変換処理は、ホワイトバランス及び色域を目的の値に調整することが容易で、さらにガンマカーブの微調整によりより目的の色に近づけることが可能になるので、画像を出力可能な全てのＡＶ機器において有用である。
【符号の説明】
【００３６】
１００、２００    画像変換装置
１０１    ＲＧＢ変換部
１０２    第１の逆ガンマ変換部
１０３    ホワイトバランス及び色域変換部
１０４    ガンマ変換部
１０５    第２の逆ガンマ変換部
１０６    表示部  
２０１    ガンマカーブ選択部
２０２    ガンマカーブ微調整部
【図１】
2013145931.tif 000010
【図２】
2013145931.tif 000011
【図３】
2013145931.tif 000012
【図４】
2013145931.tif 000013